(57)【要約】【課題】上位装置１と、上位装置１と接続される回線制御装置３と、回線制御装置３と接続される基地局装置４と、基地局装置４との間で無線により通信する移動局装置５を有する通信システムにおいて、ＩＰ電話の適用を簡易に実現する。【解決手段】上位装置１は、ＩＰ電話機１２と、ユーザによる操作を受け付ける機能及びＩＰ電話における呼制御の処理を行う機能を有する操作部１１と、を備えた。回線制御装置３は、上位装置１の操作部１１との間でＩＰ電話における呼制御の処理を行う機能４１と、上位装置１のＩＰ電話機１２との間で音声を通信する機能４２と、を備えた。【選択図】  図１
2012004861.tif 000002
【特許請求の範囲】
【請求項１】
上位装置と、前記上位装置と接続される回線制御装置と、前記回線制御装置と接続される基地局装置と、前記基地局装置との間で無線により通信する移動局装置を有する通信システムにおいて、
前記上位装置は、ＩＰ電話機と、ユーザによる操作を受け付ける機能及びＩＰ電話における呼制御の処理を行う機能を有する操作部と、を備え、
前記回線制御装置は、前記上位装置の前記操作部との間でＩＰ電話における呼制御の処理を行う機能と、前記上位装置の前記ＩＰ電話機との間で音声を通信する機能と、を備えた、
ことを特徴とする通信システム。
【発明の詳細な説明】
【技術分野】
【０００１】
本発明は、上位装置や回線制御装置を有する通信システムに関し、特に、ＩＰ（Ｉｎｔｅｒｎｅｔ  Ｐｒｏｔｏｃｏｌ）電話の適用を簡易に実現することができる通信システムに関する。
【背景技術】
【０００２】
例えば、自営系のデジタル公共無線で使用される通信システムとして、指令装置（例えば、統制台制御装置）と回線制御装置とが有線（又は、無線）で通信可能に接続され、回線制御装置と複数の基地局装置のそれぞれとが有線（又は、無線）で通信可能に接続され、各基地局装置がそれぞれの個別の通信エリアに存在する移動局装置を登録して当該移動局装置との間で無線により通信し、これにより、指令装置と各移動局装置との間で回線制御装置や基地局装置を介して通信することが可能な通信システムが検討等されている（例えば、特許文献１参照。）。
【０００３】
図７には、通信システムの一例を示してある。
本例の通信システムには、統制台制御装置１０１、シリアル／ＩＰ変換器１０２、回線制御装置１０３、基地局装置１０４、移動局装置１０５が備えられている。
統制台制御装置１０１は、所定のパーソナルコンピュータ（操作部ＰＣ）１１１、ハンドセット１１２、及び、ハンドセット１１２を制御する専用のハードウエア（ハンドセット制御部１１３）から構成されている。
回線制御装置１０３は、ＴＳＷ基板１２１、及び、呼制御基板１２２から構成されている。
【０００４】
統制台制御装置１０１のハンドセット制御部１１３と回線制御装置１０３は、有線の回線１３１を用いて通信可能に接続されている。この回線１３１としては、音声の伝送用として、アナログインタフェースのＯＤＴ（Ｏｕｔ−Ｂａｎｄ  Ｄｉａｌｉｎｇ  Ｔｒｕｎｋ）が用いられる。
統制台制御装置１０１の操作部ＰＣ１１１とシリアル／ＩＰ変換器１０２は、有線のシリアル（Ｓｅｒｉａｌ）の回線１３２を用いて通信可能に接続されている。
シリアル／ＩＰ変換器１０２と回線制御装置１０３は、有線のＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）の回線１３３を用いて通信可能に接続されている。
【０００５】
回線制御装置１０３と基地局装置１０４は、有線のＩ４３０の回線１３４を用いて通信可能に接続されている。
基地局装置１０４と移動局装置１０５は、無線の回線により通信可能に接続される。
本例では、呼制御の制御手順に関しては、統制台制御装置１０１の操作部ＰＣ１１１と回線制御装置１０３との間では独自の制御手順に基づいて制御が行われる。
【先行技術文献】
【特許文献】
【０００６】
【特許文献１】特開２００８−１６７２５３号公報
【発明の概要】
【発明が解決しようとする課題】
【０００７】
しかしながら、図７に示されるような通信システムでは、開発コストの低減などを目的に、操作部ＰＣ１１１のソフトウエアに改造を加えることなく、ハンドセット１１２を制御する専用のハードウエアを取り除き、ハンドセット１１２の代わりに汎用のＩＰ電話を適用する場合に、次のような（問題点１）〜（問題点４）が発生する。
【０００８】
（問題点１）操作部ＰＣ１１１ではハンドセット１１２のオンフック／オフフックを検出し、オフフックの場合に操作部ＰＣ１１１から発信できるが、操作部ＰＣ１１１からＩＰ電話のオンフック／オフフックを検出することができない。
（問題点２）統制台制御装置１０１から発信する場合、通話はＩＰ電話を用いて行うため、操作部ＰＣ１１１からＩＰ電話の発信（ダイヤル操作）を行う必要があるが、汎用ＩＰ電話を外部ＰＣから操作することはできない。
【０００９】
（問題点３）統制台制御装置１０１が着信する場合、ＩＰ電話が着信したことを操作部ＰＣ１１１へ通知する必要があるが、汎用ＩＰ電話から外部ＰＣへ着信を通知することはできない。
（問題点４）従来の統制台制御装置１０１では操作部ＰＣ１１１が故障した場合でもハンドセット１１２及び専用ハードウエアのみで発信／着信を行うことができるが、回線制御装置１０３がＩＰ電話に対応していないため、操作部ＰＣ１１１が故障した場合には統制台制御装置１０１から発信／着信を行うことができない。
【００１０】
従来では、上記のような問題点があったことから、図７に示されるような通信システムに、ＩＰ電話の適用を簡易に実現することができなかった。
本発明は、このような従来の事情に鑑み為されたものであり、上位装置（例えば、統制台制御装置）や回線制御装置を有する通信システムにおいて、ＩＰ電話の適用を簡易に実現することができる通信システムを提供することを目的とする。
【課題を解決するための手段】
【００１１】
上記目的を達成するため、本発明では、上位装置と、前記上位装置と接続される回線制御装置と、前記回線制御装置と接続される基地局装置と、前記基地局装置との間で無線により通信する移動局装置を有する通信システムにおいて、次のような構成とした。
すなわち、前記上位装置は、ＩＰ電話機と、ユーザによる操作を受け付ける機能及びＩＰ電話における呼制御の処理を行う機能を有する操作部と、を備えた。
前記回線制御装置は、前記上位装置の前記操作部との間でＩＰ電話における呼制御の処理を行う機能と、前記上位装置の前記ＩＰ電話機との間で音声を通信する機能と、を備えた。
【発明の効果】
【００１２】
以上説明したように、本発明に係る通信システムによると、ＩＰ電話の適用を簡易に実現することができる。
【図面の簡単な説明】
【００１３】
【図１】（ａ）は本発明の一実施例に係る通信システムの構成例を示す図であり、（ｂ）は本発明の一実施例に係るＩＰ−ＩＦ基板の構成例を示す図である。
【図２】初期化シーケンスの処理の手順の一例を示す図である。
【図３】統制台制御装置の発信シーケンスの処理の手順の一例を示す図である。
【図４】統制台制御装置の切断シーケンスの処理の手順の一例を示す図である。
【図５】統制台制御装置の着信シーケンスの処理の手順の一例を示す図である。
【図６】統制台制御装置の切断検出シーケンスの処理の手順の一例を示す図である。
【図７】通信システムの一例を示す図である。
【発明を実施するための形態】
【００１４】
本発明に係る実施例を図面を参照して説明する。
図１（ａ）には、本発明の一実施例に係る自営系無線システムである通信システムの構成例を示してある。
本例の通信システムには、ＩＰ電話を適用した統制台制御装置１、スイッチ（ＳＷＩＴＣＨ）２、回線制御装置３、基地局装置４、移動局装置５が備えられている。
【００１５】
統制台制御装置１は、ユーザインタフェースを制御する所定のパーソナルコンピュータからなる操作部（操作部ＰＣ）１１、通話を行う汎用のＩＰ電話機１２、シリアル／ＩＰ変換器１３から構成されている。
スイッチ２は、例えば汎用品のＬ２  ＳＷＩＴＣＨであり、他の構成例として、Ｌ３  ＳＷＩＴＣＨなどが用いられてもよい。また、スイッチ２の代わりに、ハブやルータ（Ｒｏｕｔｅｒ）などが用いられてもよい。
回線制御装置３は、自営系無線システム全体の呼制御を管理する機能を有する呼制御基板２１、自営系無線システム全体の音声データを管理する機能を有するＴＳＷ基板２２、統制台制御装置１の操作部ＰＣ１１及びＩＰ電話機１２と呼制御信号、音声データをやり取りする機能を有するＩＰ−ＩＦ基板２３から構成されている。
【００１６】
スイッチ２と回線制御装置３のＩＰ−ＩＦ基板２３は、有線のＴＣＰ  ＵＤＰ（Ｕｓｅｒ  Ｄａｔａｇｒａｍ  Ｐｒｏｔｏｃｏｌ）／ＩＰの回線３１を用いて通信可能に接続されている。
回線制御装置３と基地局装置４は、有線のＩ４３０の回線３２を用いて通信可能に接続されている。
基地局装置４と移動局装置５は、無線の回線により通信可能に接続される。
【００１７】
統制台制御装置１において、操作部ＰＣ１１とシリアル／ＩＰ変換器１３は、有線の回線３３（例えば、シリアルの回線）を用いて通信可能に接続されている。
統制台制御装置１のシリアル／ＩＰ変換器１３とスイッチ２は、有線の回線３４（例えば、ＴＣＰ／ＩＰの回線）を用いて通信可能に接続されている。
統制台制御装置１のＩＰ電話機１２とスイッチ２は、有線の回線３５を用いて通信可能に接続されている。
本例では、統制台制御装置１のＩＰ電話機１２やシリアル／ＩＰ変換器１３とＩＰ−ＩＦ基板２３は、スイッチ２を介して通信する。
【００１８】
図１（ｂ）には、回線制御装置３のＩＰ−ＩＦ基板２３の構成例を示してある。
ＩＰ−ＩＦ基板２３は、統制台制御装置１の操作部ＰＣ１１及びＩＰ電話機１２との呼制御データを管理する機能や呼制御基板２と呼制御データの橋渡しを行う機能を有する呼制御タスク４１、ＩＰ電話機１２との音声データを管理する機能やＴＳＷ基板２２と音声データの橋渡しをする機能を有するメディア制御タスク４２から構成されている。
【００１９】
本例の通信システムにおいて行われる動作の例を示す。なお、本例では、ＩＰ電話機１２とＩＰ−ＩＦ基板２３とは、ホットラインが設定されると、常時接続の状態（疎通の状態）となる。
図２には、初期化シーケンスの処理の手順の一例を示してある。
ＩＰ−ＩＦ基板２３は、電源の投入後、ＩＰ電話機１２のシステム情報を初期化すること（ホットライン未設定）を行い（処理ステップＴ１）、ＩＰ電話機１２へこのＩＰ電話システム情報設定を通知する（処理ステップＴ２）。これに応じて、ＩＰ電話機１２は、ホットラインを未設定として起動する。ＩＰ−ＩＦ基板２３は、操作部ＰＣ１１からのＴＣＰ接続を待つ（処理ステップＴ３）。
【００２０】
操作部ＰＣ１１は、電源の投入後、初期化処理を行い（処理ステップＴ４）、ＩＰ−ＩＦ基板２３にＴＣＰ接続を行う（処理ステップＴ５）。操作部ＰＣ１１は、ＴＣＰ接続が完了するまで接続処理を繰り返して実行する。
ＩＰ−ＩＦ基板２３は、操作部ＰＣ１１からのＴＣＰ接続を受け付けると、操作部ＰＣ１１が正常に起動したことを判定（検出）し、ＩＰ電話機１２のシステム情報（ホットライン設定）を作成し（処理ステップＴ６）、ＩＰ電話機１２へこのＩＰ電話システム情報設定を通知する（処理ステップＴ７）。これに応じて、ＩＰ電話機１２は、ホットライン設定として起動する。
【００２１】
図３には、統制台制御装置１の発信シーケンスの処理の手順の一例を示してある。
ＩＰ電話機１２は、オフフックを検出すると（処理ステップＴ１１）、ＩＰ−ＩＦ基板２３へＳＩＰ（Ｓｅｓｓｉｏｎ  Ｉｎｉｔｉａｔｉｏｎ  Ｐｒｏｔｏｃｏｌ）のＩＮＶＩＴＥ（招待）リクエストを送信する（処理ステップＴ１２）。このＩＮＶＩＴＥリクエストのＦｒｏｍヘッダにはＩＰ電話機１２を示すユーザ名が設定され、ＴｏヘッダにはＩＰ−ＩＦ基板２３を示すユーザ名が設定され、これらは前記した図２に示されるホットライン設定で設定される。
【００２２】
ＩＰ−ＩＦ基板２３は、ＩＮＶＩＴＥリクエストを受信すると、Ｆｒｏｍヘッダ、Ｔｏヘッダの情報からホットラインによるＩＰ電話機１２の発信と判断し、ＩＰ電話機１２がオフフック状態であることを検出し（処理ステップＴ１３）、ＩＰ電話機１２へ２００  ＯＫ（リクエストの正常処理を示すコード）のレスポンスを送信する（処理ステップＴ１４）。これに応じて、ＩＰ電話機１２は、ＡＣＫをＩＰ−ＩＦ基板２３へ出力する（処理ステップＴ１５）。
ＩＰ−ＩＦ基板２３は、ＩＰ電話機１２からＡＣＫリクエストを受信すると、ホットラインによる呼接続が完了したと判断し、操作部ＰＣ１１へオフフック通知を送信する（処理ステップＴ１６）。
【００２３】
オフフック通知を受信した操作部ＰＣ１１は、操作部の画面からダイヤル操作の受付を開始する（処理ステップＴ１７）。
ここで、ＩＰ電話機１２、ＩＰ−ＩＦ基板２３は処理ステップＴ１２〜処理ステップＴ１５に示されるようにＳＩＰによる呼接続が完了していることから、ＩＰ電話機１２とＩＰ−ＩＦ基板２３との間で音声が疎通しているが（処理ステップＴ１８）、操作部ＰＣ１１から発信処理を行っていないため、ＩＰ−ＩＦ基板２３からＩＰ電話機１２へは無音データを送信し（処理ステップＴ１９）、ＩＰ電話機１２から送られてくる音声データについてはＩＰ−ＩＦ基板２３で破棄する（処理ステップＴ２０、処理ステップＴ２１）。
【００２４】
操作部ＰＣ１１は、ユーザ（人）から着信先番号の入力を受け付け、ユーザの操作により発信ボタンが押下されると（処理ステップＴ２２）、呼設定要求をＩＰ−ＩＦ基板２３へ送信する（処理ステップＴ２３）。これに応じて、ＩＰ−ＩＦ基板２３は、呼制御基板２１へ呼設定要求を送信する（処理ステップＴ２４）。
これに応じて、呼制御基板２１は、着信者へ呼接続処理を行い（処理ステップＴ２５）、着信者から応答を受け取ると、ＴＳＷ基板２２へ音声転送設定を行う（処理ステップＴ２６）。これに応じて、ＴＳＷ基板２２は、発信者、着信者の音声データ転送先を設定する（処理ステップＴ２７）。
【００２５】
また、呼制御基板２１は、呼設定応答をＩＰ−ＩＦ基板２３へ送信する（処理ステップＴ２８）。ＩＰ−ＩＦ基板２３は、呼制御基板２１から呼設定応答を受信すると、呼接続が正常に完了したと判断し、ＩＰ電話機１２から受信した音声データをＴＳＷ基板２２へ転送するとともにＴＳＷ基板２２から受信した音声データをＩＰ電話機１２へ転送するように音声データ転送処理を開始し（処理ステップＴ２９）、操作部ＰＣ１１へ呼設定応答を送信する（処理ステップＴ３０）。
【００２６】
これにより、ＩＰ電話機１２から音声データが送信されると（処理ステップＴ３１）、ＩＰ−ＩＦ基板２３がＩＰ電話機１２から受信した音声データをＴＳＷ基板２２へ転送する（処理ステップＴ３２、処理ステップＴ３３）。ＴＳＷ基板２２は、ＩＰ−ＩＦ基板２３から受信した音声データを着信者へ転送するとともに、着信者から受信した音声データをＩＰ−ＩＦ基板２３へ転送する（処理ステップＴ３４、処理ステップＴ３５）。ＩＰ−ＩＦ基板２３は、ＴＳＷ基板２２から受信した音声データをＩＰ電話機１２へ転送する（処理ステップＴ３６、処理ステップＴ３７）。
【００２７】
具体例として、ユーザは、操作部ＰＣ１１の操作部を操作して着信先番号として所望の移動局装置５の電話番号を入力することにより、その電話番号に対応した移動局装置５が着信者となり、その移動局装置５を操作する者との間で、ＩＰ電話機１２を使用して通話することができる。なお、回線制御装置３のＴＳＷ基板２２と移動局装置５との間における音声データの通信（送信及び受信）は、基地局装置４を介して行われる。
【００２８】
図４には、統制台制御装置１の切断シーケンスの処理の手順の一例を示してある。
ＩＰ電話機１２は、オンフックを検出すると（処理ステップＴ４１）、ＩＰ−ＩＦ基板２３へＳＩＰのＢＹＥリクエスト（切断要求）を送信する（処理ステップＴ４２）。ＢＹＥリクエストを受信したＩＰ−ＩＦ基板２３は、ＳＩＰダイアログ情報からＩＰ電話機１２のオンフックと判定し（処理ステップＴ４３）、ＩＰ電話機１２へ２００  ＯＫのレスポンスを送信するとともに（処理ステップＴ４４）、オンフック通知を操作部ＰＣ１１へ送信する（処理ステップＴ４５）。
【００２９】
ＩＰ−ＩＦ基板２３は、ＳＩＰによる呼切断が完了していることから、ＩＰ電話機１２とＩＰ−ＩＦ基板２３との間における音声を切断し（処理ステップＴ４６）、ＴＳＷ基板２２から受信した音声データを破棄する（処理ステップＴ４７、処理ステップＴ４８）。
操作部ＰＣ１１は、ＩＰ−ＩＦ基板２３からオンフック通知を受信すると、切断処理を起動し（処理ステップＴ４９）、呼切断要求をＩＰ−ＩＦ基板２３へ通知する（処理ステップＴ５０）。
【００３０】
これに応じて、ＩＰ−ＩＦ基板２３は、呼切断要求を呼制御基板２１へ送信する（処理ステップＴ５１）。これに応じて、呼制御基板２１は、着信者へ呼切断処理を行う（処理ステップＴ５２）。呼制御基板２１は、着信者から応答を受け取ると、ＴＳＷ基板２２へ音声転送解除を行う（処理ステップＴ５３）。これに応じて、ＴＳＷ基板２２は、音声データ転送処理を停止する。
また、呼制御基板２１は、ＩＰ−ＩＦ基板２３へ呼切断応答を送信する（処理ステップＴ５４）。これに応じて、ＩＰ−ＩＦ基板２３は、操作部ＰＣ１１へ呼切断応答を送信する（処理ステップＴ５５）。
【００３１】
図５には、統制台制御装置１の着信シーケンスの処理の手順の一例を示してある。
呼制御基板２１は、統制台制御装置１への呼接続要求を受信すると、ＩＰ−ＩＦ基板２３へ呼接続要求を送信する（処理ステップＴ６１）。これに応じて、ＩＰ−ＩＦ基板２３は、ＩＰ電話機１２へＳＩＰのＩＮＶＩＴＥリクエストを送信する（処理ステップＴ６２）。これにより、ＩＰ電話機１２は、着信すると呼び出し音を鳴動させ、ＩＰ−ＩＦ基板２３へ１８０  Ｒｉｎｇｉｎｇ（呼び出し中である旨）の暫定応答を送信する（処理ステップＴ６３）。
【００３２】
ＩＰ−ＩＦ基板２３は、暫定応答を受信すると、操作部ＰＣ１１へ呼接続要求を送信する（処理ステップＴ６４）。
ＩＰ電話機１２は、オフフックして呼び出しに応答すると、２００  ＯＫレスポンスをＩＰ−ＩＦ基板２３へ送信する（処理ステップＴ６５）。ＩＰ−ＩＦ基板２３は、２００  ＯＫレスポンスを受信すると、ＩＰ電話機１２へＡＣＫリクエストを送信するとともに（処理ステップＴ６６）、操作部ＰＣ１１へオフフック通知を送信する（処理ステップＴ６７）。
【００３３】
ＩＰ−ＩＦ基板２３は、処理ステップＴ６２〜処理ステップＴ６６に示されるようにＳＩＰによる呼接続が完了していることから、ＩＰ電話機１２とＩＰ−ＩＦ基板２３との間で音声が疎通しているが（処理ステップＴ６８）、操作部ＰＣ１１が着信処理を行っていないため、ＩＰ−ＩＦ基板２３からＩＰ電話機１２へは無音データを送信し（処理ステップＴ６９）、ＩＰ電話機１２から送られてくる音声データはＩＰ−ＩＦ基板２３で破棄する（処理ステップＴ７０、処理ステップＴ７１）。
【００３４】
オフフック通知を受信した操作部ＰＣ１１は、呼接続応答をＩＰ−ＩＦ基板２３へ送信する（処理ステップＴ７２）。ＩＰ−ＩＦ基板２３は、操作部ＰＣ１１から呼接続応答を受信すると、呼接続が正常に完了したと判断し、ＩＰ電話機１２から受信した音声データをＴＳＷ基板２２へ転送するとともにＴＳＷ基板２２から受信した音声データをＩＰ電話機１２へ転送するように音声データ転送処理を開始し（処理ステップＴ７３）、呼制御基板２１へ呼接続応答を送信する（処理ステップＴ７４）。
以降における音声データの転送処理については、図３に示される統制台制御装置１の発信シーケンスと同様である。
【００３５】
具体例として、移動局装置５を操作する者が、統制台制御装置１の電話番号を入力して発信した場合に、その発信に応じた呼接続要求により、統制台制御装置１が着信者となり、そして、統制台制御装置１のユーザは、その移動局装置５を操作する者との間で、ＩＰ電話機１２を使用して通話することができる。
【００３６】
図６には、統制台制御装置１の切断検出シーケンスの処理の手順の一例を示してある。
操作部ＰＣ１１が停止する（処理ステップＴ８１）。
ＩＰ−ＩＦ基板２３は、操作部ＰＣ１１とのＴＣＰ接続の切断を検出すると（処理ステップＴ８２）、操作部ＰＣ１１が動作不能であると判定し、ホットライン解除を設定したＩＰ電話システム情報設定をＩＰ電話機１２へ通知する（処理ステップＴ８３）。
【００３７】
ホットライン解除を通知されたＩＰ電話機１２は、ホットライン設定を解除して、通常のＩＰ電話機として動作する（処理ステップＴ８４）。
以降、ＩＰ電話機１２は、発信する時はＳＩＰを利用して発信し、ＩＰ−ＩＦ基板２３は、ＳＩＰリクエストを呼接続要求へ変換して、呼制御基板２１へ呼接続処理を行う。また、ＩＰ−ＩＦ基板２３は、統制台制御装置１への呼接続要求を受信すると、ＳＩＰを利用してＩＰ電話機１２と呼接続を行う。また、ＩＰ−ＩＦ基板２３は、操作部ＰＣ１１から再度、ＴＣＰ接続が確立した場合には、図２に示される初期化シーケンスと同様に、ＩＰ電話機１２へホットライン設定を行う。
【００３８】
（実施例のまとめ）
一構成例として、回線制御装置３がＩＰ−ＩＦ基板２３を備え、ＩＰ−ＩＦ基板２３は、操作部ＰＣ１１とＴＣＰ接続が完了した際に、ＩＰ電話機１２のシステム情報（ホットライン設定）を作成し、ＩＰ電話機１２へＩＰ電話システム情報設定を通知する（例えば、処理ステップＴ５〜処理ステップＴ７）。
一構成例として、回線制御装置３がＩＰ−ＩＦ基板２３を備え、ＩＰ−ＩＦ基板２３は、ＩＮＶＩＴＥリクエストを受信すると、Ｆｒｏｍヘッダ、Ｔｏヘッダのユーザ情報からホットラインによるＩＰ電話機１２の発信であると判断して、ＩＰ電話機１２がオフフック状態であることを検出し、ＩＰ電話機１２へ２００  ＯＫのレスポンスを送信する（例えば、処理ステップＴ１１〜処理ステップＴ１４）。
【００３９】
一構成例として、前記した処理の後、ＩＰ−ＩＦ基板２３は、ＩＰ電話機１２からＡＣＫリクエストを受信すると、ホットラインによる呼接続が完了したと判断し、操作部ＰＣ１１へオフフック通知を送信する（例えば、処理ステップＴ１５〜処理ステップＴ１６）。
一構成例として、前記した処理の後、ＩＰ−ＩＦ基板２３は、ＩＰ電話機１２とＩＰ−ＩＦ基板２３との間で音声が疎通しているが、操作部ＰＣ１１から発信処理を行っていないため、ＩＰ−ＩＦ基板２３からＩＰ電話機１２へは無音データを送信し、ＩＰ電話機１２から送られてくる音声データはＩＰ−ＩＦ基板２３で破棄する（例えば、処理ステップＴ１８〜処理ステップＴ２１）。
一構成例として、前記した処理の後、ＩＰ−ＩＦ基板２３は、操作部ＰＣ１１からの呼接続処理が完了した際に、ＩＰ電話機１２から受信した音声データをＴＳＷ基板２２へ転送するとともにＴＳＷ基板２２から受信した音声データをＩＰ電話機１２へ転送するように音声データ転送処理を開始する（例えば、処理ステップＴ２９）。
【００４０】
一構成例として、回線制御装置３がＩＰ−ＩＦ基板２３を備え、ＩＰ−ＩＦ基板２３は、ＢＹＥリクエストを受信すると、ＳＩＰダイアログ情報からＩＰ電話機１２のオンフックと判定し、ＩＰ電話機１２へ２００  ＯＫのレスポンスを送信するとともに、オンフック通知を操作部ＰＣ１２へ送信する（例えば、処理ステップＴ４１〜処理ステップＴ４５）。
一構成例として、回線制御装置３がＩＰ−ＩＦ基板２３を備え、ＩＰ−ＩＦ基板２３は、ＳＩＰによる呼切断が完了している場合に、ＩＰ電話機１２とＩＰ−ＩＦ基板２３との間の音声を切断し、ＴＳＷ基板２２から受信した音声データを破棄する（例えば、処理ステップＴ４６〜処理ステップＴ４８）。
【００４１】
一構成例として、回線制御装置３がＩＰ−ＩＦ基板２３を備え、ＩＰ−ＩＦ基板２３は、ＩＰ電話機１２を呼び出す際、ＩＮＶＩＴＥリクエストを送信し、ＩＰ電話機１２から１８０  Ｒｉｎｇｉｎｇの暫定応答を受信すると、操作部ＰＣ１１へ呼接続要求を送信する（例えば、処理ステップＴ６１〜処理ステップＴ６４）。
一構成例として、前記した処理の後、ＩＰ−ＩＦ基板２３は、ＩＰ電話機１２がオフフックして呼び出しに応答したことに応じて、２００  ＯＫレスポンスを受信すると、ＩＰ電話機１２へＡＣＫリクエストを送信するとともに、操作部ＰＣ１１へオフフック通知を送信する（例えば、処理ステップＴ６５〜処理ステップＴ６７）。
【００４２】
一構成例として、回線制御装置３がＩＰ−ＩＦ基板２３を備え、ＩＰ−ＩＦ基板２３は、操作部ＰＣ１１とのＴＣＰ接続の切断を検出すると、操作部ＰＣ１１が動作不能であると判定し、ホットライン解除を設定したＩＰ電話システム情報設定をＩＰ電話機１２へ通知する（例えば、処理ステップＴ８１〜処理ステップＴ８３）。
【００４３】
以上のように、本例では、通信システムにおける統制台制御装置１にＩＰ電話を適用することができ、例えば、従来技術の問題点である統制台制御装置に汎用のＩＰ電話を適用することができないという問題を解決することができ、従来の操作部ＰＣのソフトウエアの改造を行うことなく、ＩＰ電話を連動させることも可能である。
【００４４】
具体的には、本例の通信システムでは、例えば、統制台制御装置について、操作部ＰＣのソフトウエアを変更せず、ハンドセット及び専用ハードウエアを排除し、汎用のＩＰ電話機１２を用いて統制台制御装置１を構成することが可能である（例えば、図７、図１（ａ）参照）。また、本例の通信システムでは、例えば、操作部ＰＣ１１の故障を自動で検出し、ＩＰ電話機１２の設定を自動で変更することで、ＩＰ電話機１２のみで発着信が可能となる。また、本例の通信システムでは、例えば、統制台制御装置１と回線制御装置３がＩＰ接続されるため、ＷＡＮ（Ｗｉｄｅ  Ａｒｅａ  Ｎｅｔｗｏｒｋ）回線を用いて拠点間を跨った接続が可能となることから、統制台制御装置１を設置できる範囲が広がる。
【００４５】
（以下、構成例の説明）
一構成例として、上位装置（本例では、統制台制御装置１）と、前記上位装置と（本例では、スイッチ２を介して）接続される回線制御装置（本例では、回線制御装置３）と、前記回線制御装置と接続される基地局装置（本例では、基地局装置４）と、前記基地局装置との間で無線により通信する移動局装置（本例では、移動局装置５）を有する通信システムにおいて、次のような構成とした。
すなわち、前記上位装置は、ＩＰ電話機（本例では、汎用のＩＰ電話機１２）と、ユーザによる操作を受け付ける機能及びＩＰ電話における呼制御の処理を行う機能を有する操作部（本例では、操作部ＰＣ１１）と、を備えた。
前記回線制御装置は、前記上位装置の前記操作部との間でＩＰ電話における呼制御の処理を行う機能（本例では、ＩＰ−ＩＦ基板２３の呼制御タスク４１の機能）と、前記上位装置の前記ＩＰ電話機との間で音声を通信する機能（本例では、ＩＰ−ＩＦ基板２３のメディア制御タスク４２の機能）と、を備えた。
【００４６】
従って、本例の通信システムによると、ＩＰ電話の適用を簡易に実現することができる。具体的には、例えば、上位装置の操作部を操作するユーザが上位装置のＩＰ電話機を使用することで、移動局装置を操作する者との間で、回線制御装置や基地局装置を介して、通話することができる。
（以上、構成例の説明）
【００４７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４８】
１、１０１・・統制台制御装置、  ２・・スイッチ、  ３、１０３・・回線制御装置、  ４、１０４・・基地局装置、  ５、１０５・・移動局装置、  １１、１１１・・操作部のＰＣ、  １２・・汎用のＩＰ電話機、  １３、１０２・・シリアル／ＩＰ変換器、  ２１、１２２・・呼制御基板、  ２２、１２１・・ＴＳＷ基板、  ２３・・ＩＰ−ＩＦ基板、  ３１〜３５、１３１〜１３４・・回線、  ４１・・呼制御タスク、  ４２・・メディア制御タスク、  １１２・・ハンドセット、  １１３・・ハンドセット制御部、
【図１】
2012004861.tif 000003
【図２】
2012004861.tif 000004
【図３】
2012004861.tif 000005
【図４】
2012004861.tif 000006
【図５】
2012004861.tif 000007
【図６】
2012004861.tif 000008
【図７】
2012004861.tif 000009